(57)【要約】【課題】本発明は、洗浄水の水滴を積極的に滴下除去または体積を減少させて乾燥効率を向上させた食器洗浄機を提供することを目的とする。【解決手段】本発明は、食器類を含む被洗浄物を載置する食器用かごと、被洗浄物に向けて洗浄水を噴射する回転体ノズル体と、洗浄槽の内底側に設けられ、洗浄水の加熱や被洗浄物の乾燥を行うヒータとを有する食器洗浄機において、水切り振動を食器用かごに付与する加振手段を有することを特徴とする。【選択図】図４
2007089655.tif 000002
【特許請求の範囲】
【請求項１】
洗浄槽と、前記洗浄槽に内置され、食器類を含む被洗浄物を載置する食器用かごと、前記被洗浄物に向けて洗浄水を噴射する回転体ノズル体と、前記洗浄槽の内底側に設けられ、洗浄水の加熱や前記被洗浄物の乾燥を行うヒータとを有する食器洗浄機において、
水切り振動を前記食器用かごに付与する加振手段を有することを特徴とする食器洗浄機。
【請求項２】
洗浄槽と、前記洗浄槽に内置され、食器類を含む被洗浄物を載置する食器用かごと、前記被洗浄物に向けて洗浄水を噴射する回転体ノズル体と、前記洗浄槽の内底側に設けられ、洗浄水の加熱や前記被洗浄物の乾燥を行うヒータとを有し、
洗い工程、すすぎ工程、加熱すすぎ工程、乾燥工程の順に運転が推移する食器洗浄機において、
前記加熱すすぎ工程における前記回転体ノズル体の洗浄水噴射が終了してから水切り振動を前記食器用かごに付与することを特徴とする食器洗浄機。
【請求項３】
洗浄槽と、前記洗浄槽に内置され、食器類を含む被洗浄物を載置する食器用かごと、前記被洗浄物に向けて洗浄水を噴射する回転体ノズル体と、前記洗浄槽の内底側に設けられ、洗浄水の加熱や前記被洗浄物の乾燥を行うヒータとを有し、
洗い工程、すすぎ工程、加熱すすぎ工程、乾燥工程の順に運転が推移する食器洗浄機において、
前記加熱すすぎ工程における前記回転体ノズル体の洗浄水噴射が終了後、所定時間経過してから水切り振動を前記食器用かごに付与することを特徴とする食器洗浄機。
【請求項４】
請求項２または３記載の食器洗浄機において、
前記水切り振動を付与する加振手段を有することを特徴とする食器洗浄機。
【請求項５】
請求項１または４記載の食器洗浄機において、
前記食器用かごを前後方向に移動自在に載置するガイドレールを前記洗浄槽に設け、
前記加振手段は、駆動部と、前記駆動部により駆動され、前記ガイドレールに回転自在に設けられる回転軸と、前記回転軸に設けられ、前記食器用かご側に当接して振動を起こさせるカムを含むことを特徴とする食器洗浄機。
【請求項６】
請求項５記載の食器洗浄機において、
前記カムの平坦面が上側に来て回転軸の回転が止まるように制御されることを特徴とする食器洗浄機。
【発明の詳細な説明】
【技術分野】
【０００１】
本発明は、食器乾燥時に食器及び食器用かごに付着する洗浄水の水滴を滴下させて乾燥効率を向上させる食器洗浄機に関するものである。
【背景技術】
【０００２】
食器及び食器用かごに付着した水滴を滴下させるものについては特開２０００−３１６７７４号公報に記載されている。
【０００３】
【特許文献１】特開２０００−３１６７７４号公報
【発明の開示】
【発明が解決しようとする課題】
【０００４】
食器洗浄機において、短時間で食器を乾燥させる場合、食器及び食器用かごに付着している洗浄水の量が大きく影響する。すなわち、限られた熱量のなかでは水分の蒸発に要する熱量は大きくなるのでこれらを極力低減することが必須となる。
【０００５】
上記特許文献１に示される食器洗浄機では、食器かごを正逆回転させて遠心力や振動により水滴を滴下させている。
【０００６】
しかし、正逆回転による遠心力や正逆回転にともなう振動では、水滴をよく滴下させることはできない。
【０００７】
本発明は、上記の問題に鑑み、洗浄水の水滴を積極的に滴下除去または体積を減少させて乾燥効率を向上させた食器洗浄機を提供することを目的とする。
【課題を解決するための手段】
【０００８】
本発明は、食器類を含む被洗浄物を載置する食器用かごと、被洗浄物に向けて洗浄水を噴射する回転体ノズル体と、洗浄槽の内底側に設けられ、洗浄水の加熱や被洗浄物の乾燥を行うヒータとを有する食器洗浄機において、水切り振動を食器用かごに付与する加振手段を有することを特徴とする。
【発明の効果】
【０００９】
本発明によれば、食器用かごを加振手段で積極的に振動させるので、食器及び食器用かごに付着した洗浄水の水滴がよく除去または体積を減少させることができる。このため、乾燥に必要なヒータの熱量が食器そのものの乾燥に有効に使用され、乾燥効率を著しく向上または乾燥時間を短くすることができる。
【発明を実施するための最良の形態】
【００１０】
図１は本発明の実施例に係わるもので、食器洗浄機の正面図を示す。
【００１１】
食器洗浄機の本体枠体の前面にはドア開閉用の押ボタン１があり、この押ボタン１を押すことによりドアロックが解除され、取っ手２が付いた上扉３と下扉４がほぼ同時に開く。
【００１２】
また、本体枠体の下部には操作表示部５があり、ここに設けられた電源スイッチ５をＯＮしてコースを選択後、スタートスイッチ６を押すことにより、食器洗浄機は運転を開始する。
【００１３】
図２は本発明の実施例に係わるもので、食器洗浄機の縦断面図を示す。
【００１４】
洗浄槽８の下部には、洗浄槽内に貯留した洗浄水を吸込み加圧して吐出する洗浄ポンプ兼排水ポンプ９と加圧された洗浄水を食器用かごである上かご１０と下かご１１に向けて洗浄水を噴射する洗浄ノズルが具備されている。
【００１５】
上かご１０には飯茶碗、汁椀及び湯呑のように底の凹部がある食器を収納している。上かご１０は左右に４５度回転できるよう側面の片側に駆動機構が備えられている。洗浄ノズルは、上かご１０の上部と下かご１１の下部または横部に取付け、位置及び個数については自由である。本実施例では下かご１１の下部方向に２個の回転ノズル１２（洗浄ノズル）と上かご１０の上方には複数個の下向きの噴射口を有する固定ノズル１３（洗浄ノズル）が配置されている。
【００１６】
本図には示されていないが、水流切り替え装置により下側の回転ノズル１２と固定ノズル１３に独立して水流を切り替えることができる。洗浄ポンプ兼排水ポンプ９により加圧された洗浄水を洗浄ノズルより食器に噴射することにより、食器用かごの食器に付着している汚れを洗浄する。残菜は洗浄水で落され、その残菜は残菜フィルタ１４で濾されて取られる。
【００１７】
濾された洗浄水は、洗浄ポンプ兼排水ポンプ９により循環しながら、上かご１０と下かご１１に収納されている食器１５を洗浄する。前記残菜フィルタ１４の下部には洗浄水を加熱するための加熱用ヒータ１６がある。
【００１８】
洗浄、すすぎが終了すると食器１５を乾燥させるための送風を行う乾燥用ファン１７と乾燥用ファン１７から送風された風を加熱するための温風用ヒータ１８を作動させて食器１５を乾燥する。
【００１９】
温風用ヒータの熱源にはＰＴＣを使用しており、過熱に対して入力が小さくなり安全方向に働く。洗浄槽内には洗浄水の水温検知を行うサーミスタ１９が設けられている。
【００２０】
サーミスタ１９の固定は、従来は洗浄槽８を成形するときに樹脂で一体成形していた。温度の検知感度が熱伝導の悪い樹脂層により時間遅れが大きくなり検出誤差が大きくなるので、本発明の実施例では直接洗浄槽内に突き出した構造としている。このため、耐食性の良いステンレスやセラミックなどで外郭を構成したものを用いている。
【００２１】
図３は本発明の実施例に係わるもので、食器洗浄機の工程図を示す。
【００２２】
電源スイッチをＯＮした後にコース設定をし、スタートボタンを押すと自動的に洗い、すすぎ（１）、すすぎ（２）、加熱すすぎ、乾燥が行われ自動的に停止する。
【００２３】
洗いは、洗浄水の温度を約６５℃程度まで上げている。常温の２０℃からでは約２５分要している。また、加熱すすぎは洗浄水の温度を約７５℃まで上げている。乾燥はＰＴＣヒータあるいはシーズヒータを加熱して送風を行い、熱風を洗浄槽内に循環させて排気している。
【００２４】
加熱すすぎの温度が高い程、食器類に蓄積される熱量が多いため乾燥時に時間が短縮できる。また、洗浄水が食器類に付着する量が少ないほど同じヒータ容量であれば乾燥時間を短くすることができる。加熱すすぎが終了した状態では、洗浄水が食器及び食器用かごに大量に付着している。
【００２５】
図４は本発明の実施例に係わるもので、食器用かごガイド４０が装着された食器用かご４1とガイドレール４２に固定したカム構造シャフト４３を示す。
【００２６】
カム構造シャフト４３は振動を発生させる加振手段になるもので、ガイドレール４２を軸受として挿入されている。振動発生の回転数及び荷重によってはガイドレール４２自体を直接利用せず別材料の軸受（図示せず）を介して固定する。
【００２７】
なお、食器用かご４１のガイドレールが直接洗浄槽の一部を構成して一体化されているものについては、その部分を使用する。
【００２８】
図５は本発明の実施例に係わるもので、食器用かごガイド４０がガイドレール４２に装着された状態の部分断面図を示す。
【００２９】
加振手段に係わるカム構造シャフト４３のカム構造部４４（カム）は、ガイドレール４２の溝部４５より大きくなっている。
【００３０】
これにより、カム構造シャフト４３の取付けにバラツキが生じても食器用かごガイド４０を安定して収納することができる。また、溝部４５を挟んで円形部分４６でシャフト４３をガイドレールに固定しているのでシャフト４３の回転がスムーズに行われる。
【００３１】
カムの両端は、カム平面部の１／３が残るＲとしている。食器用かごガイド４０と接するカム構造部４４（カム）は、そのＲを大きなＲにすることにより食器用かごガイド４０と接触するときの接触圧をほぼＲ部と平面部で同じになるようにして低減している。
【００３２】
カム構造シャフト４３の部分の断面においてカム部のストロークはガイドレール４２の溝部より低い場合は溝部とシャフト径の距離であるＭとなる。食器用かごガイド４０が装着し易くするためにはＬ＞Ｍとするのが好ましい。
【００３３】
また、カム構造部４４（カム）は、直接樹脂成形の食器用かごガイド４０と接触するのでバフ仕上げにより面粗さを小さくして磨耗を低減している。
【００３４】
図６は本発明の実施例に係わるもので、ガイドレール４２の駆動部（加振手段）の部分断面を示す。
【００３５】
洗浄槽８の側壁には本実施例の場合、樹脂製のスリーブ軸受６０を圧入して取付け、減速機構を内蔵した駆動部６１（モータ）を、取付け板６２を介して洗浄槽８にネジ６４により固定されている。
【００３６】
駆動部６１のシャフト４３は樹脂製のスリーブ軸受６０を通してガイドレール４２の端まで挿入されている。
【００３７】
加振手段は、駆動部６１（モータ）、シャフト４３、カム構造部４４（カム）を有する。
【００３８】
軸受は、洗浄水と直接接触するため耐食性の良い樹脂製のスリーブ軸受６０を使用している。食器点数の増加による食器の荷重増加により、回転摩擦トルクが増加する場合は、回転摩擦による損失を低減して駆動部を小型にするために耐水性のあるプラスチック玉軸受を使用とよい。
【００３９】
また、回転位置検出器（図示せず）が設けられる。駆動部６１（モータ）は、回転位置検出器の検知情報によりカム構造部４４の平坦面の位置が上側にくるように制御される。これは、食器用かごガイド４０が引っかからずにスムーズに入るようにするためである。
【００４０】
図７は本発明の実施例に係わるもので、乾燥時間―洗浄槽内温度特性を示す。
【００４１】
食器及び食器用かごに洗浄用の水滴が多量に付着しているときの特性はＡ曲線のようになる。乾燥直前の温度は、加熱すすぎにより約７５℃の洗浄水を使用しているため、ほぼこの温度がスタートとなり送風時間の経過とともに温度が低下していく。
【００４２】
これは、ヒータによる熱風では食器および食器用かごに付着した水分を蒸発させる熱量に使用されるため槽内の温度を上げるまでに至らないためである。
【００４３】
本実施例の場合、乾燥時間を２５分としているがこの時間の範囲では槽内の温度は上がらず、食器用かごには水滴が大量に残っており、この時の乾燥効率は約５０％であった。これに対して、水滴の付着量を低減したものはＢの特性となり、現状はこの範囲で使用していた。
【００４４】
本発明の実施例では、加振手段を用いて食器用かごに水切り振動を加え、食器や食器用かごに付着する水滴を積極的に振り落としたり、水滴の体積を減少させた。これにより、乾燥時間―洗浄槽内温度特性はＣに示すように改善された。
【００４５】
Ｃの乾燥時間―洗浄槽内温度特性は、現状の乾燥時間―洗浄槽内温度特性Ｂに比較して途中の温度の低下も小さくなっている。
【００４６】
これは水滴の付着量が少ないので熱風送風時の熱量が水滴の蒸発に使用される量が少なくなり、洗浄槽内の温度を上げるために使用されるためである。
【００４７】
また、乾燥時間の終了前に急激に洗浄槽内の温度が上がっている。これは、食器に付着した水分の絶対量が少ないので、熱風送風時の熱により蒸発が早く行われ、その熱が洗浄槽内の温度を上げるために使用されたためである。
【００４８】
加振手段の動作について説明する。
【００４９】
食器用かご４１に取付けられた食器用かごガイド４０は、ガイドレール４２の上に載せられ洗浄槽内の奥まで挿入される。
【００５０】
ガイドレール４２の溝部４５の奥側はカム構造シャフト４３の円形部分４６が溝部４５より上に出ており、且つカム構造部４４はそれより下になっている。カム構造シャフト４３の回転により食器用かごガイド４３が１回転に毎に１回上下に振動する。
【００５１】
振動数は、カム構造シャフト４３の回転数に応じて変化する。振幅はＭの大きさで調整される。
【００５２】
なお、加振条件としては振動数と振幅があり、振動数は振幅及び食器用かご４１の形状、食器搭載形態、重量等の影響により異なるが水滴の落ちやすい周波数を実験的に選定するのがよい。
【００５３】
本実施例では、振動数を０.１〜１０Ｈｚの範囲としている。また、振幅については大きい方が効果的である。但し、振幅をあまり大きくとると食器に衝撃がかかり損傷させる恐れがあるため本実施例では（０.５〜２）ｍｍとしている。
【００５４】
また、加振位置については本実施例では角に位置させている。トルク的に十分ならば中央で加振すると効果が大きい。加振タイミングについては加熱すすぎが終了し、洗浄ノズルから洗浄水の噴出が終わり、天板からの洗浄水が滴下してこなくなるまでの時間まで行うと効率良く水滴が除去される。
【００５５】
また、最初と途中に段階的に行うことにより、加振手段の運転時間を短縮化でき、カム部寿命を延ばすこともできる。特に加熱すすぎの終了直後は温度が高いので水滴の粘度も低いので振動で滴下し易いので初期の振動は有効である。
【００５６】
このため、初期の時間は他より長くしてもよい。上記により食器及び食器用かごに付着した洗浄水の水滴を、食器用かごを振動させることにより洗浄槽の底部に滴下させ除去または体積を低減できた。これにより曲線Ｃに示すように乾燥時間を本実施例の場合は約２５％低減できる効果がある。
【００５７】
なお、加振手段は、電磁振動、ポンプ振動を利用する種々の振動加振源の利用が考えられる。
【図面の簡単な説明】
【００５８】
【図１】本発明の実施例に係わるもので、食器洗浄機の正面図。
【図２】本発明の実施例に係わるもので、食器洗浄機の縦断面図。
【図３】本発明の実施例に係わるもので、食器洗浄機の工程を示す。
【図４】本発明の実施例に係わるもので、食器用かごガイドが装着された食器用かごとガイドレールに固定したカム構造シャフトを示す。
【図５】本発明の実施例に係わるもので、食器用かごガイドがガイドレールに装着された状態の部分断面図を示す。
【図６】本発明の実施例に係わるもので、ガイドレール４２の駆動部の部分断面を示す。
【図７】本発明の実施例に係わるもので、乾燥時間―洗浄槽内温度特性を示す。
【符号の説明】
【００５９】
１…押ボタン、２…取っ手、３…上扉、４…下扉、５…操作表示部、６…スタートボタン、８…洗浄槽、９…洗浄ポンプ兼排水ポンプ、１０…上かご、１１…下かご、１２…回転ノズル、１３…固定ノズル、１４…残菜フィルタ、１５…食器、１６…加熱用ヒータ、１７…乾燥用ファン、１８…温風用ヒータ、１９…サーミスタ、４０…食器用かごガイド、４１…食器用かご、４２…ガイドレール、４３…カム構造シャフト、４４…カム構造部、４５…溝部、４６…円形部分、６０…スリーブ軸受、６１…駆動部、６２…取付け板、６４…ネジ。
【図１】
2007089655.tif 000003
【図２】
2007089655.tif 000004
【図３】
2007089655.tif 000005
【図４】
2007089655.tif 000006
【図５】
2007089655.tif 000007
【図６】
2007089655.tif 000008
【図７】
2007089655.tif 000009